(57)【要約】【課題】モノクロコピー画像の品質向上を図ることができるカラーＭＦＰおよびカラースキャン機能を有するモノクロＭＦＰを提供する。【解決手段】被複写原稿を被複写原稿の色に対応する複数の色で複写する第１の複写モードと、被複写原稿を単一色で複写する第２の複写モードとを有する画像形成装置であって、第１の複写モードで複写する際には、被複写原稿をそれぞれ異なる波長帯域の光を透過する光学フィルタを介した複数の第１の受光素子列で読み取り、第２の複写モードで複写する際には、被複写原稿を光学フィルタを介しない第２の受光素子列で読み取る画像読取手段を備える画像形成装置である。【選択図】      図１５
2008035561.tif 000002
【特許請求の範囲】
【請求項１】
被複写原稿を被複写原稿の色に対応する複数の色で複写する第１の複写モードと、被複写原稿を単一色で複写する第２の複写モードとを有する画像形成装置であって、
前記第１の複写モードで複写する際には、被複写原稿をそれぞれ異なる波長帯域の光を透過する光学フィルタを介した複数の第１の受光素子列で読み取り、前記第２の複写モードで複写する際には、被複写原稿を光学フィルタを介しない第２の受光素子列で読み取る画像読取手段
を備えたことを特徴とする画像形成装置。
【請求項２】
被複写原稿が複数色で表現されたカラー原稿か、単一色で表わされた単色原稿かを判断して、
カラー原稿の場合には前記第１の複写モードを選択し、単色原稿の場合には前記第２の複写モードを選択する原稿種別判断選択手段
を更に備えたことを特徴とする請求項１記載の画像形成装置。
【請求項３】
前記第１の複写モードと前記第２の複写モードの選択操作を可能とする複写モード選択手段
を更に備えたことを特徴とする請求項１記載の画像形成装置。
【請求項４】
被複写原稿を被複写原稿の色に対応する複数の色で読み取るスキャンモードと、被複写原稿を単一色で複写する単色コピーモードとを有する画像形成装置であって、
前記スキャンモードで被複写原稿を読み取る際には、被複写原稿をそれぞれ異なる波長帯域の光を透過する光学フィルタを介した複数の第１の受光素子列で読み取り、前記単色コピーモードで複写する際には、被複写原稿を光学フィルタを介しない第２の受光素子列で読み取る画像読取手段
を備えたことを特徴とする画像形成装置。
【請求項５】
前記スキャンモードと前記単色コピーモードの選択操作を可能とするモード選択手段
を更に備えたことを特徴とする請求項４記載の画像形成装置。
【請求項６】
前記複数の第１の受光素子列と前記第２の受光素子列とが同一基板上に配されていることを特徴とする請求項１乃至５の内いずれか１項に記載の画像形成装置。
【発明の詳細な説明】
【技術分野】
【０００１】
本発明は、画像形成装置に関し、特にカラーＭＦＰ（複合機）およびカラースキャン機能を有するモノクロＭＦＰ（複合機）に関する。
【背景技術】
【０００２】
近年、コピー、ファクシミリ、プリンタ等の機能を一台に集約した多機能周辺機器（ＭＦＰ：Ｍｕｌｔｉｆｕｎｃｔｉｏｎ  Ｐｅｒｉｐｈｅｒａｌｓ）と呼ばれる機器が多く用いられている。
【０００３】
カラーＭＦＰは、スキャン、コピー、プリント等をカラーで行うことのできる機能を有している。
【０００４】
従来のカラーＭＦＰにおいては、モノクロ原稿（無彩色）をコピーする際、カラースキャナで原稿を読取り、この画像情報をプリンタ部に転送して画像を形成するのが一般的である。また、カラーＭＦＰにモノクロコピーモードや、単色コピーモードが設けられている場合には、カラースキャナで読み取ったカラー画像情報から、モノクロ画像情報を抽出し、プリンタをモノクロプリントモードで動作させてモノクロ画像を得るのが一般的である。
【０００５】
カラーＭＦＰの構成としては、カラーセンサを内蔵したスキャナ部と、４回転型カラープリンタ部（後述）を搭載したものが一般的である。
【０００６】
カラースキャン機能を有するモノクロＭＦＰは、コピー、プリント等はモノクロで行うが、スキャンはカラーで行うことのできる機能を有している。
【０００７】
カラースキャン機能を有するモノクロＭＦＰにおいては、モノクロ原稿をコピーする際には、上記カラーＭＦＰの場合と同様、カラースキャナで原稿を読み取り、読み取ったカラー画像情報からモノクロ画像情報を抽出し、プリンタをモノクロプリントモードで動作させてモノクロ画像を得るのが一般的である。
【０００８】
カラースキャン機能を有するモノクロＭＦＰの構成としては、カラーセンサを内蔵したスキャナ部と、モノクロプリンタを搭載したものが一般的である。
【０００９】
そして、これらのＭＦＰに用いられているＣＣＤセンサ、即ち、カラー画像を読み取るためのスキャナに内蔵されているカラーセンサとしてのＣＣＤセンサは、特定の光波長にのみ感度を有する例えばＲ，Ｇ，Ｂ（Ｒ：赤、Ｇ：緑、Ｂ：青、以下Ｒ、Ｇ、Ｂと略す）の３ラインから構成されているのが一般的である（例えば、特許文献１参照）。
【特許文献１】特開平６−１１３０７３号公報
【発明の開示】
【発明が解決しようとする課題】
【００１０】
しかしながら、カラースキャンで読み取った原稿を、従来の方法によってモノクロ原稿としてコピーする場合には、画像品質の低下、装置コスト高という不具合が指摘されていた。
【００１１】
特許文献１に記載のセンサでモノクロ画像情報を得る場合、モノクロ画像情報は、別々に読み込まれるＲ，Ｇ，Ｂのカラー情報から合成されている。このため、レンズ特性に色収差があったり読み込み時の駆動系に速度ムラ（ジッタ）などが生じると、Ｒ，Ｇ，Ｂセンサで取り込まれる画像にずれが生じてしまうため、本来モノクロ（無彩色）である画像の特にエッジ部を色のある画像として取り込んだり、色ずれ（色収差）の生じた実際の画像よりも大きな画像として取り込んでしまう。従ってこのような情報を基にして得られるモノクロ画像は、本来の画像と異なったものになってしまい、画像品質が低下する。
【００１２】
図２０はこの現象を説明したものである。例えば、長方形の濃度勾配の無い原画像（無彩色）をＲＧＢの３ラインセンサで読み取った際に、色収差や駆動ジッタがあると、ＲＧＢそれぞれのセンサで読み取った画像は、主走査、副走査方向にずれた画像となる。このような画像情報をプリンタ部で出力すると、出力される画像の形状は、図に示すように歪んでしまうため、エッジ部に濃度勾配が生じてしまう。従って、プリンタから出力される画像品質は低下する（画像品質問題）。
【００１３】
また、Ｒ，Ｇ，Ｂのカラー画像情報からモノクロ画像に変換するための専用変換回路（画像処理部）やこれに付随するメモリなどが必要となり、コスト高の要因となっている（コスト問題）。
【００１４】
さらに、スキャナ部に内蔵されているＲＧＢの３ラインセンサには、特定の波長帯域の光のみを通過させるためのカラーフィルタが設けられているのが普通であり、フィルタの無いセンサに比べると感度は低い。このため、モノクロ専用の装置に比べてモノクロコピー速度が低いという問題があった。また、速度を向上させようとすれば、センサを大型にして感度を向上させたり、大きな光源を搭載する必要があり、装置が大型化するという問題があった（読取速度問題、スキャナ部大型化問題）。
【００１５】
本発明は、上述した課題を解決するために考案されたものであり、カラーＭＦＰおよびカラースキャン機能を有するモノクロＭＦＰにおける、モノクロコピー（単色カラーコピー）画像品質向上、装置コスト低減、小型化を可能とする画像形成装置を提供するものである。
【課題を解決するための手段】
【００１６】
上記課題を解決するための本発明は、被複写原稿を被複写原稿の色に対応する複数の色で複写する第１の複写モードと、被複写原稿を単一色で複写する第２の複写モードとを有する画像形成装置であって、前記第１の複写モードで複写する際には、被複写原稿をそれぞれ異なる波長帯域の光を透過する光学フィルタを介した複数の第１の受光素子列で読み取り、前記第２の複写モードで複写する際には、被複写原稿を光学フィルタを介しない第２の受光素子列で読み取る画像読取手段を備えた画像形成装置である。
【００１７】
また本発明は、被複写原稿を被複写原稿の色に対応する複数の色で読み取るスキャンモードと、被複写原稿を単一色で複写する単色コピーモードとを有する画像形成装置であって、前記スキャンモードで被複写原稿を読み取る際には、被複写原稿をそれぞれ異なる波長帯域の光を透過する光学フィルタを介した複数の第１の受光素子列で読み取り、前記単色コピーモードで複写する際には、被複写原稿を光学フィルタを介しない第２の受光素子列で読み取る画像読取手段を備えた画像形成装置である。
【発明の効果】
【００１８】
本発明によれば、カラーＭＦＰおよびカラースキャン機能を有するモノクロＭＦＰにおいて、モノクロコピー画像の品質向上を図ることができる。
【発明を実施するための最良の形態】
【００１９】
以下、本発明の実施例を図面を参照して、説明する。
【００２０】
図１は、本発明に係る第１の実施形態の画像形成装置の内部構造を示す図である。
【００２１】
本画像形成装置は、原稿自動送り装置（以下ＡＤＦと略す）１９９、画像読取り部としてのスキャナ部２、出力画像を形成するプロセスユニット４、および給紙ユニット６、図示しないコントロールパネル（コンパネ）などから構成されている。
【００２２】
スキャナ部２は、ＡＤＦで供給される原稿や原稿台にセットされた原稿を光源からの光で照射し、原稿からの反射光をミラー、レンズなどの光学部材を介してセンサ（受光素子）に導き、光電変換して画像データをプロセスユニット４や、図示しない外部装置や、ネットワーク上に出力する。
【００２３】
次に、スキャナ部２の動作について説明する。
【００２４】
スキャナ部２で読み取る原稿は、ＡＤＦ１９９によって原稿台ガラス１１０上を一定速度で搬送されるか、原稿台ガラス１１０上に下向きに載置される。原稿は、光源１１２により照射され、原稿からの反射光が、ミラー１１３、１１４、１１５、およびレンズ１１６を介し光電変換素子としての４ラインＣＣＤ１１７上に結像される。
【００２５】
原稿台ガラス１１０上に置かれた原稿を読み取る際には、光源１１２とミラー１１３で構成される第１キャリッジ１Ａと、ミラー１１４、１１５で構成される第２キャリッジ１Ｂが、図示されない駆動用モータで左から右に移動することで原稿は光源１１２からの照射光により走査される（副走査方向）。ここで、第１キャリッジ１Ａの移動速度は、第２キャリッジ１Ｂの移動速度の２倍となっており、原稿から４ラインＣＣＤ１１７までの光路長が常に一定になるように構成されている。原稿がＡＤＦ１９９によって搬送される際には、光源１１２から照射される光は移動せず、原稿が移動することで走査がおこなわれる。
【００２６】
図２の（１）は、４ラインＣＣＤセンサ１１７の外観図、図２の（２）は、受光部１１７ａの拡大図である。
【００２７】
４ラインＣＣＤセンサ１１７の受光部は、光学フィルタを配置しないラインセンサＫ、即ち第２の受光素子列と、赤色に感度を持たせるための光学フィルタを配置したラインセンサＲと、緑色に感度を持たせるための光学フィルタを配置したラインセンサＧと、青色に感度を持たせるための光学フィルタを配置したラインセンサＢとの４本が並べて配置されている。ラインセンサＲ、ラインセンサＧ、ラインセンサＢは第１の受光素子列である。各ラインセンサは、例えば受光素子としてフォトダイオードが４．７μｍピッチで７５００画素分有効画素領域に配置されている。そして、第１の受光素子列と第２の受光素子列を用いて画像読取手段によって画像が読まれる。
【００２８】
このように４ラインＣＣＤセンサ１１７は、４本のラインセンサが並べて配置されているため、各ラインで読み取る画像は副走査方向（図２の（２）において上下方向）にずれる。カラー画像を読み取る際には、ラインメモリなどによって読み取った画像情報を保持し、このずれを補正するのが一般的であるが、副走査方向のキャリッジ移動速度や、原稿移動速度にムラ（ジッタ）がある場合には、必ずしも完全に補正できるとは限らない。
【００２９】
次に４ラインＣＣＤセンサ１１７の特徴について説明する。
【００３０】
図３は、４ラインＣＣＤセンサ１１７を構成するラインセンサＫの分光感度特性、図４は、ラインセンサＲ、Ｇ、Ｂの分光感度特性、図５は、光源１１２のキセノンランプの分光分布を示す図である。
【００３１】
図５に示すように光源１１２のキセノンランプから照射される光は、約４００ｎｍから７３０ｎｍまでの波長を含んでいる。このような光源１１２からの光が白色の原稿で反射し、４ラインＣＣＤセンサに照射された場合を考える。
【００３２】
図３、図４に示すように、ラインセンサＲ、Ｇ、Ｂが特定領域の波長にしか感度を持たないのに対し、ラインセンサＫは４００ｎｍ未満から１０００ｎｍを越える部分まで感度があることを考慮すると、ラインセンサＫから出力される信号が他のラインセンサに比べ大きいものになることは明らかである。つまり、ラインセンサＫは、他のラインセンサに比べて感度が高い。
【００３３】
図６は、４ラインＣＣＤセンサ１１７の概略構成図である。
【００３４】
ラインセンサＫの構成と、ラインセンサＲ、Ｇ、Ｂの構成は一部違いがあるので、まず、ラインセンサＲ、Ｇ、Ｂの構成から説明する。
【００３５】
ラインセンサＲ、Ｇ、Ｂに光が照射されると、それぞれのラインセンサを構成する受光素子が画素ごとに照射光量および照射時間に応じて電荷を発生する。それぞれのシフトゲートにＳＨ信号が入力されると、シフトゲートを介してそれぞれの画素に対応した電荷がアナログシフトレジスタに供給される。アナログシフトレジスタは転送クロックＣＬＫ１、２に同期して各ラインセンサから画素に対応した電荷（画像情報）をシリアルに出力する。
【００３６】
ここで、ＣＬＫ１、２は、電荷を高速に移動させるために、互いに逆位相のディファレンシャル信号を形成している。
【００３７】
図７を用いて、ラインセンサの信号出力についてさらに詳細に説明する。
【００３８】
ラインセンサには、７５００個の有効画素の前段に光が入射しないように受光素子をアルミなどで遮光した光シールド画素部分およびダミー画素、空送り部分が設けられている。
【００３９】
従って、ラインセンサの信号出力をすべて外部に転送するには、７５００画素分を超える転送クロック数が必要となる。ここで光シールド画素部分、空送り部分、ダミー画素部分の合計を５００画素分とすると、８０００画素分の転送クロックが必要となり、この時間が１ラインの光蓄積時間（ｔＩＮＴ）を決定付ける大きな要素となっている。
【００４０】
即ち、ラインセンサ内の受光素子は、１ライン分の光蓄積時間（ｔＩＮＴ）の間、原稿からの反射光に応じて電荷を発生し、ＳＨ信号が入力されることで、その電荷がアナログレジスタに転送され、次の光蓄積時間（ｔＩＮＴ）の間で、転送クロックに同期して外部に信号を出力するという動作を連続的に繰り返す。
【００４１】
次にラインセンサＫについて説明する。基本的な動作はラインセンサＲ、Ｇ、Ｂと同じであるが、図６から分かるように、シフトゲートとアナログシフトレジスタが２組あるのが特徴となっている。
【００４２】
ラインセンサＫに光が照射されると、ラインセンサＫを構成する受光素子が画素ごとに照射光量および照射時間に応じて電荷を発生する。シフトゲートＫ＿ＯＤＤとシフトゲートＫ＿ＥＶＥＮにＳＨ信号が入力されると、それぞれのシフトゲートを介して奇数画素に対応した電荷はアナログシフトレジスタＫ＿ＯＤＤに、偶数画素に対応した電荷はアナログレジスタＫ＿ＥＶＥＮに供給される。それぞれのアナログシフトレジスタは転送クロックＣＬＫ１、２に同期してそれぞれ奇数画素と偶数画素に対応した電荷（画像情報）をシリアルに出力する。
【００４３】
図８を用いてラインセンサＫの場合の信号出力についてさらに説明する。
【００４４】
ラインセンサＲ、Ｇ、Ｂと同様に、ラインセンサＫにも７５００個の有効画素の前段に光が入射しないように受光素子をアルミなどで遮光した光シールド画素部分およびダミー画素、空送り部分が設けられている。また、光シールド画素部分、空送り部分、ダミー画素部分の合計も５００画素分である。
【００４５】
ラインセンサＫの場合には、先に説明したように、電荷の転送が奇数画素と偶数画素の２つに分かれるため、８０００画素分の電荷（画像情報）をシリアルに出力するのに必要な転送クロックは、４０００画素分でよい。従って、シフトゲートに入力されるＳＨ信号の周期を短くすることが可能となり、１ラインの光蓄積時間（ｔＩＮＴ）を短くできる。先に説明したように、ラインセンサＫは高感度であるため、１ラインの光蓄積時間（ｔＩＮＴ）を短くしても問題は生じない。
【００４６】
図８には、Ｋラインセンサの場合のＳＨ信号周期（ｔＩＮＴ−Ｋ）を先に説明したＲＧＢラインセンサのＳＨ信号周期（ｔＩＮＴ）の１／２にした場合を示した。また、有効画素領域が３７５０画素分になり、それぞれのアナログシフトレジスタから奇数画素、偶数画素のそれぞれに対応した信号が別々に出力されることを示した。
【００４７】
以上、４ラインＣＣＤセンサ１１７について、ラインセンサＫを用いた場合には、ラインセンサＲ、Ｇ、Ｂを用いた場合の２倍の読取速度が実現できることを説明した。
【００４８】
尚、ラインセンサＫの感度に余裕がある場合には、さらに高速にすることが可能である。この構成を図９に示す。図９では、ラインセンサＫの出力を奇数、偶数に分け、さらに前半からの出力と後半からの出力に分けることで、４倍の読取速度が実現できることを示している。
【００４９】
続いて、カラープリンタ部の動作について図１を参照しつつ説明する。
【００５０】
プロセスユニット４は、スキャナ部２にて原稿から読み取った画像データ、あるいは、図示しない外部装置から入力される画像データに基づく画像を用紙Ｐ（転写媒体）上に出力する。給紙ユニット６は、プロセスユニット４に用紙Ｐを供給する。
【００５１】
プロセスユニット４、給紙ユニット６は筐体３に収納されている。筐体３の右側には、両面ユニット８および手差しユニット９が脱着自在に取り付けられている。両面ユニット８は、プロセスユニット４で片面に画像形成された用紙Ｐを反転させて、再びプロセスユニット４へ供給する。手差しユニット９は、手差しにより用紙Ｐをプロセスユニット４へ供給する。
【００５２】
次に、プロセスユニット４の構造を説明する。
【００５３】
プロセスユニット４は、本装置のフロント−リア方向（紙面方向）に延びた感光体ドラム１１（像担持体）を有し、感光体１１の周囲には、帯電装置１２、露光装置１３、ブラック現像器１４（第２現像器）、リボルバー（revolver）１５（現像ユニット）、中間転写ベルト１６（中間転写体）、およびドラムクリーナ１７（清掃装置）が、感光体ドラム１１の回転方向（図中矢印方向）に沿って設けられている。
【００５４】
帯電装置１２は、感光体ドラム１１の外周面１１ａ（以下、ドラム表面１１ａと称する）を所定の電位に帯電させる。露光装置１３は、プロセスユニット４の下端近くに配設され、所定の電位に帯電されたドラム表面１１ａを走査するレーザ光によって露光し、ドラム表面１１ａに各色の静電潜像を形成する。
【００５５】
ブラック現像器１４は、感光体ドラム１１と露光装置１３の間、すなわち感光体ドラム１１に対して下方から対向配置されている。ブラック現像器１４は、露光装置１３によってドラム表面１１ａに形成されたブラック用の静電潜像を現像し、ドラム表面１１ａにブラック現像剤像を形成する。ブラック現像器１４は、現像ローラをドラム表面１１ａに対して離接させるように移動可能に設けられており、ブラック画像を形成する際には現像ローラがドラム表面１１ａに接するように移動し、他色の画像を形成する際にはドラム表面１１ａから遠ざけられる。また、ブラック現像器１４には、トナーカートリッジ１４ａから現像剤が供給される。
【００５６】
リボルバー１５は、感光体ドラム１１の図中左側に隣接して回転可能に設けられている。リボルバー１５は、イエロー現像器１５Ｙ（第１現像器）、マゼンタ現像器１５Ｍ（第２現像器）、シアン現像器１５Ｃ（第３現像器）を有する。各現像器は、リボルバー１５の回転方向に並んで、リボルバー１５内に脱着自在に収納されている。また、各現像器は、それぞれの色の現像剤を収納したトナーカートリッジ１５ｙ、１５ｍ、１５ｃを有する。
【００５７】
画像を形成する際には、リボルバー１５を時計回り方向に回転させ、所望の現像器を感光体ドラム表面１１ａに選択的に対向配置させる。
【００５８】
以上、説明したように、プロセスユニット４に内蔵されている現像器は、ブラック現像器１４のみが独立して配置され、他のイエロー現像器１５Ｙ、マゼンタ現像器１５Ｍ、シアン現像器１５Ｃの３つの現像器はリボルバー１５内に配置されている。
【００５９】
このような構造から明らかなように、イエロー、マゼンタ、シアンの画像を形成する際には、リボルバー１５を回転させるなどの動作が必要であるのに対し、ブラックの画像を形成する際には、ドラム表面１１ａにブラック現像器１４を近づけるだけでよい。したがって、画像形成が可能になるまでの時間は、他色に比べブラックが短い構造になっている。
【００６０】
中間転写ベルト１６は、感光体ドラム１１に対して上方から接する位置に配置されている。中間転写ベルト１６は、それぞれフロント−リア方向（紙面方向）に延びた回転軸を有する駆動ローラ１６ａ、転写前ローラ１６ｂ、転写対向ローラ１６ｃ、およびテンションローラ１６ｄに架けられている。
【００６１】
中間転写ベルト１６の内側には、中間転写ベルト１６を所定圧力でドラム表面１１ａに押圧し、ドラム表面１１ａに形成された現像剤像を中間転写ベルトに転写させるための１次転写ローラ２１が設けられている。
【００６２】
中間転写ベルト１６の周囲には、ベルトを清掃するためのベルトクリーナ２２、ベルト上の現像剤像を用紙Ｐに転写するための２次転写ローラ２４がそれぞれベルト表面に対して離接可能に設けられている。
【００６３】
給紙ユニット６は、２つの給紙カセット２６、２８を有する。各カセット２６、２８の図中右上端にはカセット内に収容された最上端の用紙Ｐを取り出すピックアップローラ３１がそれぞれ設けられている。ピックアップローラ３１による用紙取り出し方向下流側に隣接した位置には、それぞれ送りローラ３２と分離ローラ３３が互いに接して配置されている。
【００６４】
給紙カセット２６、２８の図中右側に隣接した位置には、上述した中間転写ベルト１６と２次転写ローラ２４とが接している２次転写ポイントへ向かう用紙搬送路２６が設けられている。用紙搬送路２６上には、用紙Ｐを挟持して回転する複数の搬送ローラ対３４、用紙Ｐの到達を検知するアライニングセンサ３５および２次転写ポイントへ用紙Ｐを所定のタイミングで給紙するためのアライニングローラ対３６が順に配置されている。
【００６５】
２次転写ポイントを通って上方に延びた用紙搬送路２６上には、用紙Ｐ上に転写された現像剤を加熱および加圧して定着させる定着装置３８が設けられている。定着装置３８は、ヒータを内蔵した加熱ローラ３８ｂおよび加熱ローラ３８ｂに押圧配置された加圧ローラ３８ａを有する。
【００６６】
次に、この画像出力部がモノクロ画像を出力する場合の動作と、カラー画像を出力する場合の動作について説明する。
【００６７】
モノクロ画像を出力する際の動作は次の通りである。
【００６８】
まず、いずれの現像器１５Ｙ、１５Ｍ、１５Ｃもドラム表面１１ａに対向しないホームポジションにリボルバーが回転される。そして、ブラック現像器１４が上方に移動され、ドラム表面１１ａに対向される。
【００６９】
ベルトクリーナ２２は、軸２２ａを中心に時計方向に回転されて中間転写ベルト１６に接触し、２次転写ローラ２４が図中左方向に移動されて中間転写ベルト１６に転接される。
【００７０】
露光装置１３は、ブラック用の画像データに基づいてレーザ光をドラム表面１１ａ上に走査し、ドラム表面１１ａ上にブラック用の静電潜像が形成される。続いてブラック現像器１４を介してドラム表面１１ａ上の静電潜像にブラック現像剤が供給され、ドラム表面１１ａ上にブラック現像剤像が形成される。
【００７１】
このようにして形成されたドラム表面１１ａ上のブラック現像剤像は、感光体ドラム１１の回転によって移動され、中間転写ベルト１６に接する１次転写ポイントに到達する。１次転写ポイントでは、１次転写ローラを介してブラック現像剤像の電位と逆極性のバイアスが与えられ、ドラム表面１１ａ上のブラック現像剤像が中間転写ベルト１６上に転写される。
【００７２】
１次転写ポイントを通過したドラム表面１１ａは、ドラムクリーナ１７によって転写されずに残ったブラック現像剤が除去され、同時に残留電荷も除電される。そしてドラム表面１１ａは、次のブラック用の静電潜像形成のため、帯電装置１２によって一様に帯電される。
【００７３】
連続してブラックの画像形成が行われる場合には、先の動作と同じように一連のプロセス、すなわち露光→現像→中間転写ベルト１６への転写が実行され、次のブラック現像剤像が中間転写ベルト１６上に転写される。
【００７４】
中間転写ベルト上に転写されたブラック現像剤像は、中間転写ベルト１６の回転によって移動されて、２次転写ローラ２４との間の２次転写ポイントを通過される。
【００７５】
このとき、ピックアップローラ３１によってカセット２６，２８から取り出された用紙Ｐが、搬送ローラ対３４によって縦搬送路２６を上方に搬送され、アライニングローラ３６で一旦整位された後、所定のタイミングで２次転写領域へ送り込まれる。
【００７６】
そして、２次転写ローラ２４を介して、ブラック現像剤像の電位と逆のバイアスが印加され、中間転写ベルト１６上のブラック現像剤が、用紙Ｐ上に転写される。現像剤を用紙Ｐに転写した後、ベルトクリーナ２２によって、中間転写ベルト１６上に残留したブラック現像剤が除去される。
【００７７】
ブラック現像剤が転写された用紙Ｐは、この後、定着装置３８を通過されて加熱および加圧され、各色の現像剤像が用紙Ｐ上に定着され、ブラック画像が形成される。このように、ブラック画像が形成された用紙Ｐは、定着装置３８の下流側に設けられた排出ローラ４２を介して排紙トレイ４４に排出される。
【００７８】
以上説明したようにブラック画像形成は、リボルバーやベルトクリーナ、２次転写ローラなどを移動させる必要が無く、連続的に画像を形成することができる。
【００７９】
続いて、カラー画像を出力する際の動作について説明する。
【００８０】
まずブラック現像器１４が下方に移動され、ドラム表面１１ａから離間される。リボルバー１５が時計方向に回転されてイエロー現像器１５Ｙがドラム表面１１ａに対向される。ベルトクリーナ２２は軸２２ａを中心に反時計方向に回転されて中間転写ベルト１６から離間され、２次転写ローラ２４が用紙搬送路２６から離間する方向（図中右方向）に移動されて中間転写ベルト１６から離間される。
【００８１】
露光装置１３は、イエロー用の画像データに基づいてレーザ光をドラム表面１１ａ上に走査し、ドラム表面１１ａ上にイエロー用の静電潜像が形成される。続いてイエロー現像器１５Ｙを介してドラム表面１１ａ上の静電潜像にイエロー現像剤が供給され、ドラム表面１１ａ上にイエロー現像剤像が形成される。
【００８２】
このようにして形成されたドラム表面１１ａ上のイエロー現像剤像は、感光体ドラム１１の回転によって移動され、中間転写ベルト１６に接する１次転写ポイントに到達する。１次転写ポイントでは、１次転写ローラ２１を介してイエロー現像剤像の電位と逆極性のバイアスが与えられ、ドラム表面１１ａ上のイエロー現像剤像が中間転写ベルト１６上に転写される。
【００８３】
１次転写ポイントを通過したドラム表面１１ａは、ドラムクリーナ１７によって転写されずに残ったイエロー現像剤が除去され、同時に残留電荷も除電される。そしてドラム表面１１ａは、次のマゼンタ用の静電潜像形成のため、帯電装置１２によって一様に帯電され、リボルバー１５は回転し、マゼンタ現像器１５Ｍがドラム表面１１ａに対向される。この状態で、先のイエローの場合と同じように一連のプロセス、すなわち露光→現像→中間転写ベルト１６への転写が実行され、マゼンタ現像剤像が中間転写ベルト１６上でイエロー現像剤像に重ねて転写される。このようにしてマゼンタ現像剤像が転写された後、同様にシアン現像剤像が重ねて転写される。
【００８４】
そして、いずれの現像器１５Ｙ、１５Ｍ、１５Ｃもドラム表面１１ａに対向しないホームポジションにリボルバーが回転されて、代わりにブラック現像器１４が上昇されてドラム表面１１ａに対向される。この状態で上述したプロセスと同様のプロセスが実行され、ブラック現像剤像がイエロー現像剤像、マゼンタ現像剤像、シアン現像剤像に重ねて中間転写ベルト１６上に転写される。
【００８５】
ここでブラック現像器１４を使用するのは、ＹＭＣの重ね合わせでＫ（黒）を表現する場合は、正確な色重ねが必要であり、ずれが生ずると画質が劣化することと、黒についてはＹＭＣの３色を使うより、Ｋだけを使うほうがトナーの節約になる等の理由による。
【００８６】
このようにして、すべての色の現像剤像が中間転写ベルト上で重ねられると、２次転写ローラ２４が図中左方向に移動されて中間転写ベルト１６に接し、ベルトクリーナ２２も中間転写ベルト１６に接触される。この状態で、中間転写ベルト上で重ねられたすべての色の現像剤像は、中間転写ベルト１６の回転によって移動されて、２次転写ローラ２４との間の２次転写ポイントを通過される。
【００８７】
このとき、ピックアップローラ３１によってカセット２６，２８から取り出された用紙Ｐが、搬送ローラ対３４によって縦搬送路２６を上方に搬送され、アライニングローラ３６で一旦整位された後、所定のタイミングで２次転写領域へ送り込まれる。
【００８８】
そして、２次転写ローラ２４を介して、各色の現像剤像の電位と逆のバイアスが印加され、中間転写ベルト１６上の各色の現像剤が、用紙Ｐ上に転写される。現像剤を用紙Ｐに転写した後、ベルトクリーナ２２によって、中間転写ベルト１６上に残留した現像剤が除去される。
【００８９】
各色の現像剤がまとめて転写された用紙Ｐは、この後、定着装置３８を通過されて加熱および加圧され、各色の現像剤像が用紙Ｐ上に定着され、カラー画像が形成される。このように、カラー画像が形成された用紙Ｐは、定着装置３８の下流側に設けられた排出ローラ４２を介して排紙トレイ４４に排出される。
【００９０】
以上説明したように、カラー画像を形成する場合は、イエロー、マゼンタ、シアン、ブラックの現像剤像を重ねる必要があり、露光→現像→中間転写ベルト１６への転写工程が４回必要であるのに対し、ブラック単色画像を形成する場合は、露光→現像→中間転写ベルト１６への転写工程が１回であるため、１／４の時間に短縮することができ、高速・高画質のモノクロコピーが可能となっている。
【００９１】
尚、モノカラー画像を形成する場合にも、ブラック用の画像データに基づいて、上述のカラー画像形成動作の内、１色又は２色について露光−現像−中間転写ベルト１６への転写工程を実行すれば良いため、高速・高画質のモノカラーコピーが可能となる。
【００９２】
次に、モノカラー画像形成の変形例として、２色重ねのモノカラー画像形成動作について説明する。
【００９３】
本変形例では、ブラック用の画像データに基づいて、２色を用いてモノカラー画像を形成するものである。
【００９４】
例えば、イエローとマゼンタの２色を重ねて画像を形成すると、出力画像は赤になる。赤の出力画像を形成する際のプリンタ部の動作としては、イエロー、マゼンタの順に中間転写ベルト１６上に画像が転写されるところまでは、先に説明したカラー画像形成動作と途中まで同じであるが、この後、シアン、ブラックの画像形成が行われず、中間転写ベルト１６から、イエロー、マゼンタの画像が用紙Ｐ上に転写される。
【００９５】
他の２色重ねのモノカラー画像形成動作も同様に、不要な色の画像形成動作は、省略される。例えば、緑の画像を形成する場合は、イエローとシアンの画像形成を行い、青の画像を形成する際には、マゼンタとシアンの画像形成のみを実行する。
【００９６】
次に、プリンタ部の構成が、上述のプリンタ部と異なるＭＦＰの場合について本発明を説明する。
【００９７】
図１０は、本発明に係る第２の実施形態の画像形成装置の内部構造を示す図である。本実施の形態では、プリンタ部の各色画像形成部が４連タンデム型に配置されている点が、第１の実施形態と異なっている。
【００９８】
図１０において、画像形成装置２０１は、光学ユニット２０２と、各色画像を形成するのに必要な画像形成ユニットと、転写ベルト２０７と、吸着ローラ２０８と、転写ベルトローラ２０９，２１０と、転写ベルトクリーナ２１１と、アライニングローラ２１２，２１３と、給紙ローラ２１４と、用紙Ｐを収容して供給する給紙カセット２１５と、定着器２１６と、より構成されている。
【００９９】
画像形成ユニットは、各色毎に現像器３Ｙ，３Ｍ，３Ｃ，３Ｋと、感光体ドラム４Ｙ，４Ｍ，４Ｃ，４Ｋと、帯電チャージャ５Ｙ，５Ｍ，５Ｃ，５Ｋと、クリーナ６Ｙ，６Ｍ，６Ｃ，６Ｋと、転写ローラ１８Ｙ，１８Ｍ，１８Ｃ，１８Ｋとを有している。
【０１００】
次に、本装置を用いてカラー画像を形成する動作について説明する。
【０１０１】
感光体ドラム４Ｙ，４Ｍ，４Ｃ，４Ｋと転写ベルト２０７とは、図示されない駆動モータにより所定の外周速度で回転駆動されている。各感光体ドラム４Ｙ，４Ｍ，４Ｃ，４Ｋの表面に対向して設けられている帯電チャージャー５Ｙ，５Ｍ，５Ｃ，５Ｋは、それぞれの感光体ドラム４Ｙ，４Ｍ，４Ｃ，４Ｋの表面を所定の電位に帯電させる。
【０１０２】
光学ユニット２０２より出力される４本のビーム光は、被露光部材である感光体ドラム４Ｙ，４Ｍ，４Ｃ，４Ｋ上の露光位置に、必要な解像度を有するスポットである走査光として結像され、走査露光される。これによって、各感光体ドラム４Ｙ，４Ｍ，４Ｃ，４Ｋ上には画像信号に応じた静電潜像が形成される。
【０１０３】
各感光体ドラム４Ｙ，４Ｍ，４Ｃ，４Ｋ上に形成された静電潜像は、各現像器３Ｙ，３Ｍ，３Ｃ，３Ｋから供給される現像材としてのトナーにより現像されてトナー画像が形成される。例えば、感光体ドラム４Ｙ上に形成された静電潜像は現像器３Ｙによりイエロートナー画像として現像される。同様に、感光体ドラム４Ｍ上の静電潜像は、現像器３Ｍによってマゼンタトナー画像に、感光体ドラム４Ｃ上の静電潜像は現像器３Ｃによりシアントナー画像に、感光体ドラム４Ｋ上の静電潜像は現像器３Ｋによりブラックトナー画像に、それぞれ現像される。
【０１０４】
一方、給紙カセット２１５に収容された用紙Ｐは、給紙ローラ２１４の回転によりアライニングローラ２１２，２１３まで搬送され、整位（位置調整）された後、アライニングローラ２１２，２１３の回転により吸着ローラ２０８，転写ベルトローラ２０９まで搬送される。吸着ローラ２０８と転写ベルトローラ２０９との間には、所定の電位差が設けられており、用紙Ｐはこれらのローラ２０８，２０９と転写べルトローラ２１０との回転により、転写ベルト２０７上に吸着された状態で下流側に搬送される。
【０１０５】
各現像器３Ｙ，３Ｍ，３Ｃ，３Ｋにより現像された各感光体ドラム４Ｙ，４Ｍ，４Ｃ，４Ｋ上の各色のトナー画像は、転写ベルト２０７と転写ローラ１８Ｙ，１８Ｍ，１８Ｃ，１８Ｋが接する部分で用紙Ｐに転写される。
【０１０６】
次に、用紙Ｐは定着器２１６を通過することにより加熱・加圧されて、用紙Ｐ上のトナー画像は溶融されて用紙Ｐに確実に定着されることになる。このとき、用紙Ｐへの転写が終了した各感光体ドラム４Ｙ，４Ｍ，４Ｃ，４Ｋは、その表面の残留トナーが各クリーナ６Ｙ，６Ｍ，６Ｃ，６Ｋにより除去されて初期状態に復帰し、次の画像形成の待機状態となる。また、用紙搬送を終えた転写ベルト２０７は、転写ベルトクリーナ２１１を通過する際にベルト上に付着された不要なトナーが除去され、次の用紙の搬送が可能な状態になる。
【０１０７】
以上のプロセスを繰り返すことにより、カラー画像形成動作が連続的に行なわれる。
【０１０８】
次に、光学ユニット２０２の詳細な構成とカラー画像形成時のビーム光経路について説明する。
【０１０９】
光学ユニット２０２は、例えば、４つの半導体レーザ（図示せず）を内蔵しており、それぞれの半導体レーザからのビーム光が、ポリゴンモータ２２０により回転されるポリゴンミラー２２１の表面で反射して、被露光面としての感光体ドラム４Ｙ，４Ｍ，４Ｃ，４Ｋの表面を走査するビーム光となる。
【０１１０】
ここで、感光体ドラム４Ｙに到達する可能性のあるビーム光をＢＭ−Ｙ、感光体ドラム４Ｍに到達する可能性のあるビーム光をＢＭ−Ｍ、感光体ドラム４Ｃに到達する可能性のあるビーム光をＢＭ−Ｃ、感光体ドラム４Ｋに到達する可能性のあるビーム光をＢＭ−Ｋとすると、ポリゴンミラー２２１により走査される各ビ一ム光は、それぞれレンズＬＮ１，ＬＮ２，ＬＮ３を通過する。
【０１１１】
感光体ドラム４Ｙに到達する可能性のあるビーム光ＢＭ−Ｙは、レンズＬＮ１，ＬＮ２，ＬＮ３を通過した後、ハーフミラーＨＭ−Ｙによって約５０％が反射し、ビーム光ＢＭ−Ｙ１となる。その後、ミラーＭＲ−Ｙ１、ミラーＭＲ−Ｙ２で反射し、感光体ドラム４Ｙに到達する。一方、ハーフミラーＨＭ−Ｙを通過したビーム光ＢＭ−Ｙ２は、遮光部材（シヤツタ）ＳＨＴ−Ｙ１によって遮光され、何れのドラムにも到達しない。
【０１１２】
また、感光体ドラム４Ｍに到達する可能性のあるビーム光ＢＭ−Ｍは、レンズＬＮ１，ＬＮ２，ＬＮ３を通過した後、ハーフミラーＨＭ−Ｍによって約５０％が反射し、ビーム光ＢＭ−Ｍ１となる。その後、ミラーＭＲ−Ｍ１、ミラーＭＲ−Ｍ２で反射し、感光体ドラム４Ｍに到達する。一方、ハーフミラーＨＭ−Ｍを通過したビーム光ＢＭ−Ｍ２は、遮光部材（シャッタ）ＳＨＴ−Ｍ１によって遮光され、何れのドラムにも到達しない。
【０１１３】
また、感光体ドラム４Ｃに到達する可能性のあるビーム光ＢＭ−Ｃは、レンズＬＮ１，ＬＮ２，ＬＮ３を通過した後、ハーフミラーＨＭ−Ｃによって約５０％が反射し、ビーム光ＢＭ−Ｃ１となる。その後、ミラーＭＲ−Ｃ１，ミラーＭＲ−Ｃ２で反射し、感光体ドラム４Ｃに到達する。一方、ハーフミラーＨＭ−Ｃを通過したビーム光ＢＭ−Ｃ２は、遮光部材（シャツタ）ＳＨＴ−Ｃ１によって遮光され、何れのドラムにも到達しない。
【０１１４】
感光体ドラム４Ｋに到達するビーム光ＢＭ−Ｋは、レンズＬＮ１，ＬＮ２，ＬＮ３を通過した後、ミラーＭＲ−Ｋで反射して感光体ドラム４Ｋに到達する。
【０１１５】
このようにして、４つの半導体レーザ（図示せず）からのビーム光はポリゴンモータ２２０により回転駆動されるポリゴンミラー２２１の表面で反射した後、それぞれの経路を通過してそれぞれの感光体ドラム上を走査するビーム光となり、カラー画像の形成を可能としている。
【０１１６】
次に、図１１を用いて、同じ構成の複写機を用いてモノクローム（黒色）画像を高速に形成する際の動作と光学系内のビーム経路について説明する。
【０１１７】
感光体ドラム４Ｋ、転写ベルト２０７、定着器２１６は、図示されない駆動モータにより上述したカラー画像の形成時の４倍のスピードで回転駆動されている。一方、使用することのない感光体ドラム４Ｙ、４Ｍ、４Ｃは回転駆動されないし、現像器３Ｙ，３Ｍ，３Ｃにおける各現像ローラも回転しない。
【０１１８】
光学ユニット２０２より出力される４本のビーム光は、カラー画像形成とは異なり、全てのビーム光が感光体ドラム４Ｋ上の露光箇所に必要な解像度を有するスポットである走査光として結像され、走査露光される。すなわち、感光体ドラム４Ｋは、４つのビーム光によって同時に走査露光され、画像信号に応じた静電潜像が形成される。なお、この場合の光学ユニット２０２内のビーム光経路については後述する。
【０１１９】
感光体ドラム４Ｋに形成された静電潜像は、現像器３Ｋからのトナー（現像材）により現像されてＫトナー画像となる。モノクロームモードにおける転写ベルト２０７，吸着ローラ２０８，転写ベルトローラ２０９，転写ローラ１８Ｙ，１８Ｍ，１８Ｃは、感光体ドラム４Ｙ、４Ｍ、４Ｃと接触しないように、図示されない駆動モータによって下方に移動させられており、転写ベルト２０７は感光体ドラム４Ｋとのみ接触する。
【０１２０】
現像器３Ｋにより現像された感光体ドラム４Ｋ上のトナー画像は、転写ベルト２０７と転写ローラ１８Ｋが接する箇所で用紙Ｐに転写される。
【０１２１】
次に、用紙Ｐが定着器２１６を通過することにより、用紙Ｐは加熱・加圧され、用紙Ｐ上のトナー画像は溶融して用紙Ｐ上に確実に定着される。
【０１２２】
以上の各プロセスにおける動作を繰り返すことによって、モノクローム画像形成動作は、カラー画像形成動作の４倍の速度により連続的に行なわれる。
【０１２３】
次に、モノクローム（黒色）画像を形成する際の光学ユニット内のビーム光経路について説明する。図１１に示すように、カラー画像形成時と異なる点は、遮光部材ＳＨＴ−Ｙ１，ＳＨＴ−Ｙ２，ＳＨＴ−Ｍ１，ＳＨＴ−Ｍ２，ＳＨＴ−Ｃ１，ＳＨＴ−Ｃ２の位置である。
【０１２４】
例えば、ビーム光ＢＭ−Ｙ１の場合、カラー画像形成時に感光体ドラム４Ｙに到達していたビーム光ＢＭ−Ｙ１は、遮光部材ＳＨＴ−Ｙ２により遮光されて感光体ドラム４Ｙには到達しない。一方、ハーフミラーＨＭ−Ｙを通過したビーム光ＢＭ−Ｙ２は、ミラーＭＲ−Ｙ３で反射して感光体ドラム４Ｋに到達する。ビーム光ＢＭ−Ｍ，ＢＭ−Ｃの場合も同様でそれぞれ感光体ドラム４Ｍ，４Ｃには到達せず、感光体ドラム４Ｋに到達する。なお、カラー画像形成時には感光体ドラム４Ｋに到達していたビーム光ＢＭ−Ｋは、特に変化することなく感光体ドラム４Ｋに到達する。
【０１２５】
以上のように、モノクローム画像形成モードにおいては、遮光部材ＳＨ−Ｙ２，ＳＨＴ−Ｍ２，ＳＨ−Ｃ２によって、感光体ドラム４Ｙ，４Ｍ，４Ｃへの光路が遮断され、逆に遮光部材ＳＨＴ−Ｙ１，ＳＨＴ−Ｍ１，ＳＨＴ−Ｃ１が変位することにより感光体ドラム４Ｋへの光路が確保される。なお、遮光部材ＳＨＴ−Ｙ１，ＳＨＴ−Ｍ１，ＳＨＴ−Ｃ１，ＳＨＴ−Ｙ２，ＳＨＴ−Ｍ２，ＳＨＴ−Ｃ２は、図示されない駆動手段によって開閉動作を行なうものである。
【０１２６】
このようにして、モノクロモードが指定されたときは４つの半導体レーザ（図示せず）からのビーム光は、ポリゴンモータ２２０によって回転されるポリゴンミラー２２１の表面で反射された後、それぞれの光路を通過して、４つのビーム光の全てが感光体ドラム４Ｋ上を走査するビーム光となり、カラーの場合に比べ４倍のスピードでモノクロ画像形成を可能としている。
【０１２７】
尚、モノクロ画像形成時に感光体ドラム４Ｋのみを使用し、感光体ドラム４Ｙ，４Ｍ，４Ｃを使用しないのは、これらの感光体ドラムの回転を停止して、転写ベルトから離間させておくことで、その感光体ドラム表面の磨耗による特性劣化を防止するためである。
【０１２８】
図１２は、本発明に係る第３の実施形態の画像形成装置の内部構造を示す図である。本図は、カラースキャン機能を有するモノクロＭＦＰの構造である。
【０１２９】
コピー動作を実行する際には、スキャナ部２で読み取られたモノクロ画像情報が所定の画像処理を施された後プリント部から出力される。スキャナとして動作する際には、スキャナ部が出力するＲＧＢのカラー画像データが、カラースキャナ情報として図示しないネットワークに出力される。
【０１３０】
続いて、本実施の形態に係る画像形成装置の動作について説明する。
【０１３１】
図１３の（１）は、図１、１０，１１に示したカラーＭＦＰのコントロールパネルを示す図である。
【０１３２】
左側に並んでいるボタンは、カラーＭＦＰの動作を指定するボタンである。
【０１３３】
オートカラーボタンが押されると、カラーＭＦＰは原稿をカラーかモノクロか自動的に判別し、その結果に適したモードでコピー動作を実行するモードになる。即ち、カラー原稿であればカラーコピーを、モノクロ原稿であればモノクロコピーを実行するモードである。
【０１３４】
フルカラーボタンが押されると、カラーＭＦＰは、カラーコピーを実行するモードになる。
【０１３５】
ブラックボタンが押されると、カラーＭＦＰは、モノクロコピーを実行するモードになる。
【０１３６】
モノカラーボタンが押されると、カラーＭＦＰは、モノカラーコピーを実行するモードになる。色の指定は、表示部のタッチパネルで指定できる。
【０１３７】
コピー／スキャナボタンは、カラーＭＦＰをスキャナとして動作させるか、複写機として動作させるか選択するボタンである。デフォルトは複写機になっている。
【０１３８】
表示部は、タッチパネルになっており、カラーＭＦＰの状態を表示すると同時に、動作の詳細指定が行える。例えば、複写倍率や濃度の指定、用紙の選択、モノカラーコピーの色選択などが行える。
【０１３９】
０〜９のボタン（テンキー）は、複写枚数の入力に使用される。Ｃボタンは、クリアボタンであり、枚数入力のクリアに使用される。
【０１４０】
リセットボタンは、コントロールパネルで設定された条件をすべてイニシャル（デフォルト）条件に戻すために使用される。
【０１４１】
ストップボタンは、複写動作などを途中でストップさせるときに使用される。
【０１４２】
スタートボタンは、複写動作や、スキャン動作を開始するときに使用される。
【０１４３】
図１３の（２）は、図１２に示したモノクロＭＦＰのコントロールパネルを示す図である。
【０１４４】
左側に並んだボタンは、モノクロＭＦＰの動作を指定するボタンである。
【０１４５】
コピーボタンが押されると、モノクロＭＦＰは、モノクロコピーを動作するモードになる。
【０１４６】
ＦＡＸボタンが押されると、モノクロＭＦＰは、ＦＡＸ動作を行うモードになる。
【０１４７】
スキャナボタンが押されると、モノクロＭＦＰは、スキャナ動作を行うモードになる。本発明のモノクロＭＦＰの場合は、スキャナがカラー画像読取モード（ＲＧＢセンサが有効）になる。
【０１４８】
他の表示部やボタンは、先に説明したカラーＭＦＰの場合と基本的に同じであるので説明は省略する。
【０１４９】
図１４の（１）は、従来のカラーＭＦＰのシステム構成を表すブロック図である。
【０１５０】
コントロールパネルでオートカラーコピー動作が指定された（オートカラーボタンが押された）場合には、制御部はスキャナに対して所定の動作設定を行い、画像処理部に対しては、スキャナから送られてくるＲＧＢ画像情報から原稿がカラーかモノクロか判別するよう指示を出す。
【０１５１】
画像処理部の原稿判別結果から、原稿がカラーであった場合には、画像処理部に対して、スキャナから送られてくるＲＧＢ画像情報をカラープリンタでカラー出力が可能なＹＭＣＫ（イエロー、マゼンタ、シアン、ブラック）信号に変換するよう指示を出し、カラープリンタに対しては、４色でプリントするカラープリントモードを設定する。
【０１５２】
反対に画像処理部の原稿判別結果がモノクロであった場合には、画像処理部に対して、スキャナから送られてくるＲＧＢ画像情報をカラープリンタでモノクロのみで画像出力が可能なＫ（ブラック）信号（輝度情報）に変換するよう指示を出し、カラープリンタに対しては、ブラック１色でプリントするモノクロプリントモードを設定する。
【０１５３】
コントロールパネルでカラーコピー動作が指定される（フルカラーボタンが押される）と制御部はスキャナに対して所定の動作設定を行い、画像処理部に対しては、スキャナから送られてくるＲＧＢ画像情報をカラープリンタでカラー出力が可能なＹＭＣＫ（イエロー、マゼンタ、シアン、ブラック）信号に変換するよう指示を出す。カラープリンタに対しては、４色でプリントするカラープリントモードを設定する。
【０１５４】
コントロールパネルでモノクロコピー動作が指定された（ブラックボタンが押された）場合には、制御部はスキャナに対して所定の動作設定を行い、画像処理部に対しては、スキャナから送られてくるＲＧＢ画像情報をカラープリンタでモノクロのみで画像出力が可能なＫ（ブラック）信号（輝度情報）に変換するよう指示を出す。カラープリンタに対しては、ブラック１色でプリントするモノクロプリントモードを設定する。
【０１５５】
図１４の（２）は、本発明のカラーＭＦＰのシステム構成を表すブロック図である。
【０１５６】
このシステムの動作は、図１５のフローチャートを参照しながら説明する。
【０１５７】
スタートボタンが押されるとコピー動作を開始する（ｓｔｅｐ１）。
【０１５８】
このとき、コントロールパネルでオートカラーコピー動作が指定された（オートカラーボタンが押された）場合、あるいは、いずれのモード設定ボタンも押されていなかった場合は、オートカラーカラーコピーが指定されたものと判断する。他のモード指定ボタンが押されていた場合にはオートカラーコピーが指定されなかったと判断する（ｓｔｅｐ２）。
【０１５９】
オートカラーコピーモードが指定された場合、制御部はスキャナに対してＲＧＢラインセンサでの画像が読み取れるよう、すなわち第１の画像読取手段によって読み取れるよう、スキャナ読取モードをセットし（ｓｔｅｐ３）、カラースキャン動作を実行する（ｓｔｅｐ４）。そして、カラースキャンを実行した結果、原稿がカラー原稿であるか否かを判定する（ｓｔｅｐ５）。
【０１６０】
Ｓｔｅｐ２の判定の結果、カラー原稿であった場合には、画像処理部に対してスキャナから送られてくるＲＧＢ画像情報をカラープリンタでカラー出力、すなわち第１の画像形成手段での出力が可能なＹＭＣＫ（イエロー、マゼンタ、シアン、ブラック）信号に変換できる画像処理を選択するよう指示を出す（ｓｔｅｐ１７）。カラープリンタに対しては、４色でプリントするカラープリントモードを設定する（ｓｔｅｐ１８）。そしてカラーコピー動作を実行し（ｓｔｅｐ１９）、一連の動作を終了する（ｓｔｅｐ２０）。
【０１６１】
Ｓｔｅｐ２の判定の結果、モノクロ原稿であった場合には、制御部はスキャナに対してＫラインセンサのみで高速に画像を読み取れるよう、すなわち第２の画像読取手段によって読み取れるよう、スキャナの読み取りモードをセットする（ｓｔｅｐ１０）。画像処理部に対しては、スキャナから送られてくるモノクロ画像情報（Ｋデータ：輝度情報）をプリンタ部のブラック１色でプリント可能な処理を選択するよう指示を出す（ｓｔｅｐ１１）。プリンタ部に対しては、ブラック画像を高速にプリントできる、すなわち第２の画像形成手段でプリントできるモノクロプリントモードを設定する（ｓｔｅｐ１２）。そしてモノクロコピー動作を実行し（ｓｔｅｐ１９）、一連の動作を終了する（ｓｔｅｐ２０）。
【０１６２】
オートカラーコピーモードが指定されなかった場合、制御部は、モノクロコピーモードが指定されているかを判断する（ｓｔｅｐ６）。
【０１６３】
ここ（ｓｔｅｐ６）で、モノクロコピーモードが指定された場合には、制御部はスキャナに対してＫラインセンサのみで高速に画像が読み取れるようスキャナ読取モードをセットする（ｓｔｅｐ１０）。画像処理部に対しては、スキャナから送られてくるモノクロ画像情報（Ｋデータ：輝度情報）をプリンタ部のブラック１色でプリント可能な処理を選択するよう支持を出す（ｓｔｅｐ１１）。プリンタ部に対しては、ブラック画像を高速にプリントできるモノクロプリントモードを設定する（ｓｔｅｐ１２）。そしてモノクロコピー動作を実行し（ｓｔｅｐ１９）、一連の動作を終了する（ｓｔｅｐ２０）。
【０１６４】
Ｓｔｅｐ６でモノクロコピーモードが指定されなかった場合には、制御部はモノカラーコピーモードが指定されているかを判断する（ｓｔｅｐ７）。
【０１６５】
ここ（ｓｔｅｐ７）で、モノカラーコピーモードが指定された場合には、制御部はスキャナに対してＫラインセンサのみで高速に画像が読み取れるようスキャナ読取モードをセットする（ｓｔｅｐ１３）。画像処理部に対しては、スキャナから送られてくるモノクロ画像情報（Ｋデータ：輝度情報）をプリンタ部のＹＭＣのいずれか１色または２色重ねでプリントするため、ブラック用の処理と同じ処理を選択するよう支持を出す（ｓｔｅｐ１４）。プリンタ部に対しては、画像処理部から送られてくる画像データを単色カラーで高速にプリントできるモノカラープリントモードを設定する（ｓｔｅｐ１５）。そしてモノカラーコピー動作を実行し（ｓｔｅｐ１９）、一連の動作を終了する（ｓｔｅｐ２０）。
【０１６６】
Ｓｔｅｐ７でモノカラーコピーモードが指定されなかった場合には、制御部はカラーコピーモードが指定されているかを判断する（ｓｔｅｐ８）。
【０１６７】
ここ（ｓｔｅｐ８）で、カラーコピーモードが指定された場合には、制御部はスキャナに対してＲＧＢラインセンサでの画像が読み取れるよう、すなわち第１の画像読取手段によって読み取れるよう、スキャナ読取モードをセットする（ｓｔｅｐ１６）。画像処理部に対しては、スキャナから送られてくるＲＧＢ画像情報をカラープリンタでカラー出力が可能なＹＭＣＫ（イエロー、マゼンタ、シアン、ブラック）信号に変換できる画像処理を選択するよう指示を出す（ｓｔｅｐ１７）。カラープリンタに対しては、４色でプリントするカラープリントモードを設定する（ｓｔｅｐ１８）。そしてカラーコピー動作を実行し（ｓｔｅｐ１９）、一連の動作を終了する（ｓｔｅｐ２０）。
【０１６８】
Ｓｔｅｐ８でカラーコピーモードが指定されなかった場合には、コピー動作を開始したにもかかわらず、コピーモードが確定していない状況であるので、エラーとして処理する（ｓｔｅｐ９）。
【０１６９】
以上説明したような構成と制御フローにより、本発明の実施の形態に係るカラーＭＦＰはそれぞれの動作モードに対して最適な条件で動作を行うことができる。
【０１７０】
図１６の（１）は、カラースキャン可能なモノクロＭＦＰの従来構成を示すブロック図である。図に示すように、スキャナ部のセンサはＲＧＢの３ラインから構成されている。
【０１７１】
コントロールパネルでコピーが指示された場合、スキャナ部で読み取られたＲＧＢのカラー情報が画像処理部でＫ（モノクロ）データ（輝度情報）に変換されてモノクロプリンタ部に送られる。モノクロプリンタ部は、このＫデータ（輝度情報）をプリントアウトする。
【０１７２】
コントロールパネルでＦＡＸが指定された場合も同様に、画像処理部が出力するＫデータ（輝度情報）をＦＡＸモデムが所定のフォーマットに従い公衆回線に出力する。
【０１７３】
コントロールパネルでスキャナが指定された場合には、スキャナ部で読み取られたＲＧＢのカラー情報が、画像処理部で所定のＲＧＢデータに変換され、ネットワークインターフェースへと送られる。ネットワークインターフェースは、このＲＧＢデータを所定のフォーマットに従い、ネットワーク（ＬＡＮ）上に出力する。
【０１７４】
複写動作、ＦＡＸ動作、スキャナ動作（ネットワークへの出力）に要求される速度を比較すると、複写動作に対して最もスピードが要求され、一般にＦＡＸやネットワークスキャンには高速性は要求されていない。例えば、高速ＦＡＸでも、１分間に１０枚程度の送信能力である。これは、通信回線にボトルネックが存在するからであり、たとえスキャナを高速化しても、システムとしては高速化につながらない。一方、コピー動作の場合、１分間に２０枚や３０枚はあたりまえであり、８０枚以上の機械も珍しくない。
【０１７５】
従って、複写機能と、ＦＡＸやネットワークスキャン機能を同じスキャナ（読取装置）を用いて実現する場合、どうしても、ＦＡＸやネットワークスキャン機能にとっては、オーバースペックのスキャナを搭載することになる。まして、プリントエンジンがモノクロの場合、スピードが必要なのは、モノクロ情報（輝度情報）であるにもかかわらず、従来技術では、カラーセンサからモノクロ情報（輝度情報）を得ていたため、高速カラー読取り装置が要求されるといった不合理があった。
【０１７６】
図１６の（２）は、本発明のモノクロＭＦＰシステム構成を表すブロック図である。
【０１７７】
このシステム動作を、図１７のフローチャートを参照しながら説明する。
【０１７８】
スタートボタンが押されると動作を開始する。このとき、コントロールパネルでコピー動作が指定されていた（コピー指定ボタンが押されていた）場合、あるいは、いずれのモード設定ボタンも押されていなかった場合、制御部はコピー動作が指定されたものと判断する（ｓｔｅｐ３０）。他のモード指定ボタンが押されていた場合にはコピー動作が指定されなかったと判断する（ｓｔｅｐ３１）。
【０１７９】
コピーモードが指定された場合、制御部はスキャナに対してＫラインセンサで高速に画像が読み取れるようスキャナ読取モードをセットする（ｓｔｅｐ３５）。画像処理部に対しては、スキャナから送られてくるＫ画像情報（輝度情報）を（モノクロ）プリンタで出力が可能なＫデータ（輝度情報）に変換できる画像処理を選択するよう指示を出す（ｓｔｅｐ３６）。そしてコピー動作を実行し（ｓｔｅｐ３７）、一連の動作を終了する（ｓｔｅｐ４４）。この動作により、高速に、かつ、高画質でモノクロコピーが実行できる。
【０１８０】
Ｓｔｅｐ３１でコピー動作が指定されなかった場合には、制御部はＦＡＸ動作モードが指定されているかを判断する（ｓｔｅｐ３２）。
【０１８１】
Ｓｔｅｐ３２でＦＡＸ動作モードが指定されていた場合、制御部はスキャナに対してＫラインセンサで画像が読み取れるようスキャナ読取モードをセットする（ｓｔｅｐ３８）。画像処理部に対しては、スキャナから送られてくるＫ画像情報（輝度情報）を公衆回線に出力が可能な信号に変換できる画像処理を選択するよう指示を出す（ｓｔｅｐ３９）。そしてＦＡＸモデムに対して所定の設定を施し、ＦＡＸ動作（モノクロスキャン）を実行し（ｓｔｅｐ４０）、一連の動作を終了する（ｓｔｅｐ４４）。
【０１８２】
Ｓｔｅｐ３２でＦＡＸ動作が指定されなかった場合には、制御部はスキャナ動作モードが指定されているかを判断する（ｓｔｅｐ３３）。
【０１８３】
Ｓｔｅｐ３３でスキャナ動作が指定されていた場合、制御部はスキャナに対してＲＧＢラインセンサで画像が読み取れるようスキャナ読取モードをセットする（ｓｔｅｐ４１）。画像処理部に対しては、スキャナから送られてくるＲＧＢカラー画像情報をネットワークに出力が可能な信号に変換できる画像処理を選択するよう指示を出す（ｓｔｅｐ４２）。そしてネットワークインターフェースに対して所定の設定を施し、カラースキャン動作を実行し（ｓｔｅｐ４３）、一連の動作を終了する（ｓｔｅｐ４４）。
【０１８４】
Ｓｔｅｐ３３でスキャナ動作が指定されなかった場合には、動作を開始したにもかかわらず、動作モードが確定していない状況であるので、エラーとして処理する（ｓｔｅｐ３４）。
【０１８５】
以上、説明したような構成と制御フローにより、本発明の実施の形態に係るモノクロＭＦＰは、それぞれの動作モードに対して、最適な条件で動作を行うことができる。
【０１８６】
次に、図１に示す４回転型カラープリンタを用いた異種原稿連続コピー動作について説明する。
【０１８７】
図１８は、スキャナとプリンタの動作を示すタイミングチャートである。尚、ここでは、説明を簡単にするために、スキャナがＲＧＢラインを用いてカラー画像を読み込むのに必要な時間と、プリンタが１色の画像を形成するのに必要な時間を２：１の比率としている。また、スキャナがＫラインを用いてモノクロ画像を読み込むのに必要な時間と、プリンタが１色の画像を形成するのに必要な時間を１：１の比率としている。
【０１８８】
最初にカラーコピー動作について、図１８の（１）を参照して説明する。
【０１８９】
まずスキャナが１枚目の原稿をＲＧＢセンサで読み取る。チャートではこの１枚目の画像読取り情報をＲＧＢ１と表している。画像処理部は、このＲＧＢ１信号をプリントに用いるＹＭＣＫ信号に変換する。チャートでは画像処理部で変換された１枚目のＹＭＣＫ信号をそれぞれＹ１、Ｍ１、Ｃ１、Ｋ１と表わしている。
【０１９０】
プリンタは、途中で動作を止めることができないため、プリンタが最初のＹ１信号のプリントを開始するのは、スキャナが動作してからしばらく時間が経過してからであり、早くともプリンタがＹ１信号をプリントし終わる時点でスキャナが画像を読み終わることが可能なタイミングである。
【０１９１】
尚、スキャナが読み取った１枚目のＲＧＢ１信号または、画像処理部で変換されたＭ１、Ｃ１、Ｋ１信号はメモリに記憶され、プリンタがＹ１信号をプリントした後のＭ１、Ｃ１、Ｋ１信号をプリントする時に利用される。このようにメモリに画像情報を記憶させておくことで、１枚の原稿に対してスキャナによる読取動作は１回でよい。
【０１９２】
タイミングチャートから明らかなように、プリンタがカラー画像を形成するのは、Ｙ、Ｍ、Ｃ、Ｋの４サイクルの動作が必要であり、１色あたりのプリント動作がスキャナのカラー画像読取動作の２倍高速であっても、次の原稿を読み取り始めなければならなくなるまでには、時間的に余裕がある。
【０１９３】
本実施例の場合、カラー画像を効率よくコピーするためには、スキャナは２枚目のカラー画像読み取りを遅くともプリンタがＫ１信号をプリントし始めるタイミングで開始するのがよい。そして、２枚目のＲＧＢ２信号を基にプリンタはＹ２信号のプリントを開始する。
【０１９４】
この一連の動作を繰り返すことで、異種原稿の連続カラーコピーが行われる。
【０１９５】
次に、従来のモノクロコピー動作について図１８の（２）を参照して説明する。従来は、先に説明したようにスキャナで読み取られるＲＧＢ信号を画像処理によってＫ信号（輝度情報）に変換していた。従って、一連のコピー動作は、次のようになる。
【０１９６】
まずスキャナが１枚目の原稿をＲＧＢセンサで読み取る。タイミングチャートではこの１枚目の画像読取り情報をＲＧＢ１と表している。画像処理部は、このＲＧＢ１信号をモノクロプリントに用いるＫ信号（輝度情報）に変換する。タイミングチャートでは画像処理部で変換された１枚目のＫ信号（輝度情報）をＫ１とあらわしている。カラーコピー動作の場合と同様、プリンタは、途中で動作を止めることができないため、プリンタが最初のＫ１信号のプリントを開始するのは、スキャナが動作してからしばらく時間が経過してからであり、早くともプリンタがＫ１信号をプリントし終わる時点でスキャナが画像を読み終わることが可能なタイミングである。
【０１９７】
タイミングチャートから明らかなように、プリンタがモノクロ画像を形成するのは、Ｋの１サイクル動作のみであるため、今度は、プリンタ動作に余裕ができることになる。即ち、プリンタが１枚目のＫ１信号をプリントし終えて、２枚目のＫ２信号をプリントアウトできる状態になっても、スキャナ動作がプリンタ動作の１／２のスピードであるため、次のＫ２情報が得られておらず、連続してプリントすることができない。従って、タイミングチャートから明らかなように、プリント動作が途切れ途切れになってしまう。
【０１９８】
このことは、プリンタ部の潜在的なプリント速度を生かしきれないだけでなく、同じ時間プリンタが動作しても、その間にプリントアウトされる枚数が減ってしまうことを意味する。つまり、プリントアウトに寄与しない無駄な動作時間が生じることになり、マシンライフ（寿命）や感光体ドラムなどの消耗品ライフ（寿命）を短くしてしまうという弊害を生む原因となる。
【０１９９】
次に本発明におけるモノクロコピー動作を図１８の（３）を参照して説明する。
【０２００】
先に説明したように、スキャナがＫラインを用いてモノクロ画像を読み込むのに必要な時間とプリンタが１色の画像を形成するのに必要な時間は１：１の比率となっている。タイムチャートから明らかなように、スキャナ動作速度とプリンタ動作速度のバランスが良いと無駄な時間が生じない。
【０２０１】
即ち、スキャナが１枚目のモノクロ原稿の画像情報Ｋ１をＫラインで読み始めるのとほぼ同時にプリンタはＫ１信号のプリント動作を開始し、スキャナ部が１枚目の画像Ｋ１を読み終えるのとほぼ同時にプリンタ部もＫ１のプリントを終える。そしてスキャナ部が２枚目の画像Ｋ２をＫラインで読み始めるのとほぼ同時にプリンタ部もＫ２のプリントを開始する。このように無駄時間無くスキャン動作とプリント動作が同期して進行することで効率よくモノクロコピーを実行することができる。
【０２０２】
次に、図１０、１１に示す４連タンデム型カラープリンタを用いた、異種原稿連続コピー動作について説明する。
【０２０３】
図１９は、スキャナとプリンタの動作を示すタイミングチャートである。尚、ここでは、説明を簡単にするために、スキャナがＲＧＢラインを用いてカラー画像を読み込むのに必要な時間と、プリンタが１色の画像を形成するのに必要な時間を１：１の比率としている。
【０２０４】
最初にカラーコピー動作について、図１９の（１）を参照して説明する。
【０２０５】
まずスキャナが１枚目の原稿をＲＧＢセンサで読み取る。タイミングチャートではこの１枚目の画像読取り情報をＲＧＢ１と表している。画像処理部は、このＲＧＢ１信号をプリントに用いるＹＭＣＫ信号に変換する。タイミングチャートでは画像処理部で変換された１枚目のＹＭＣＫ信号をそれぞれＹ１、Ｍ１、Ｃ１、Ｋ１とあらわしている。
【０２０６】
スキャナ部が読取動作を開始するのとほぼ同時にプリンタ部は画像処理部から出力されるＹ１の出力を開始する。Ｍ１、Ｃ１、Ｋ１の出力は、Ｙ，Ｍ，Ｃ，Ｋそれぞれの感光体ドラム間の距離分遅延して同時並行で実行される。
【０２０７】
スキャナ部が２枚目の原稿を読取始めると、画像処理部はこれをＹ２、Ｍ２、Ｃ２、Ｋ２に変換し始めるとともに、プリンタ部が、それぞれの信号をプリントし始める。
【０２０８】
タイミングチャートから明らかなように、スキャナ部とプリンタ部は、同期して動作し、無駄な時間は生じない。
【０２０９】
次に、従来構成のモノクロコピー動作について、図１９の（２）を参照して説明する。
【０２１０】
先に説明したようにプリンタ部がモノクロ画像を出力する際には、４倍のスピードになる。従って、画像形成に必要な時間は、１／４となる。
【０２１１】
一方、従来構成では、モノクロ画像であってもスキャナ部はＲＧＢで原稿を読み取るので、画像を取り込むための時間に変化は無い。従って、タイミングチャートに示すように、スキャナ部が、１枚目の原稿読み取り動作を開始して、しばらくしてから、プリンタ部はモノクロ画像Ｋ１の出力を開始する。このようなタイミング関係から明らかなように、２枚目のコピーを実行する際にも、スキャナ部が、２枚目の原稿を読み始めて、しばらくしてからプリンタ部が動作し、ブラック画像を出力する。このようにして画像を出力すると、プリンタ部のブラック画像出力能力の約１／４しかその能力を生かせない状態になる。
【０２１２】
次に本発明の実施の形態におけるモノクロコピー動作を図１９の（３）を参照して説明する。
【０２１３】
本発明の構成の場合、ブラック画像をコピーする際には、スキャナ部は、図９に示したＫラインを用いることでカラーの読み取りに比べ４倍の速度で画像を読み取ることができる。タイミングチャートに示すように、モノクロ画像を取り込むのに要する時間Ｋ１は、先のカラー画像を取り込むのに要する時間ＲＧＢ１の１／４である。従って、スキャナが画像を読取り始めるのとほぼ同時に、プリンタ部は動作を開始することができる。２枚目をコピーする際も同様に、スキャナ部が画像を読取り始めるのとほぼ同時にプリンタ部は画像形成可能となる。このようにして画像を出力すると、プリンタ部のブラック画像出力能力をフルに引き出すことができ、パフォーマンスは、４倍に上がる。
【０２１４】
以上説明したように、本発明に係る実施の形態は、カラー画像を読取るためのセンサ（ＲＧＢのカラーフィルタを備えた３ラインセンサ）に加え、モノクロ画像を読み取るためのカラーフィルタの無い１ラインセンサをカラー画像読取り装置に内蔵している。
【０２１５】
モノクロコピーする際には、カラーフィルタの無い１ラインセンサで画像を読取り、この画像情報を基にモノクロ画像を形成する。カラーフィルタの無い１ラインセンサは、１ラインで画像を読み取るため、色ずれがなくシャープに画像が読み取れ、読取画像品質が向上する。また、フィルタの無い分、カラーフィルタのついたセンサより高感度で、高速に画像が読み取れるので、スキャナ部を大型化したり、大きな光源を搭載する必要が無い。
【０２１６】
また、Ｒ，Ｇ，Ｂ信号からモノクロ信号に変換する変換回路が不要になるため、安価な回路構成とすることができる。
【０２１７】
カラーＭＦＰでモノクロ画像をコピーする場合には、カラーフィルタの無い１ラインセンサで画像を高速にシャープに読取り、プリンタ部をモノクロ画像形成モードで高速に動作させることによって高速高画質のモノクロコピーが可能となっている。また、異種原稿のモノクロ連続コピー時にもスキャナのモノクロ画像読取動作が速いため、プリント出力に無駄な時間できず、装置寿命や感光体ドラムなどの消耗品寿命を短くすることも無い。
【０２１８】
尚、本実施の形態では、４ラインＣＣＤのラインセンサＫには光学フィルタを配していないが、この形態に限定されず、透明な光学フィルタ部材を設けるように構成しても良い。
【０２１９】
また、本実施の形態では、プリンター部は電子写真系を用いて構成しているが、この形態に限定されず、インクジェット方式、サーマルプリンタあるいは公知の印刷手段等を用いて構成しても良い。
【図面の簡単な説明】
【０２２０】
【図１】本発明に係る第１の実施形態の画像形成装置の内部構造を示す図。
【図２】４ラインＣＣＤセンサを示す図。
【図３】４ラインＣＣＤセンサを構成するラインセンサＫの分光感度特性を示す図。
【図４】ラインセンサＲ、Ｇ、Ｂの分光感度特性を示す図。
【図５】光源のキセノンランプの分光分布を示す図。
【図６】４ラインＣＣＤセンサの概略構成を示す図。
【図７】ラインセンサの信号出力を説明する図。
【図８】ラインセンサＫの信号出力を説明する図。
【図９】ラインセンサＫの信号出力を説明する図。
【図１０】本発明に係る第２の実施形態の画像形成装置の内部構造を示す図。
【図１１】本発明に係る第２の実施形態の画像形成装置の内部構造を示す図。
【図１２】本発明に係る第３の実施形態の画像形成装置の内部構造を示す図。
【図１３】カラーＭＦＰのコントロールパネルを示す図。
【図１４】従来のカラーＭＦＰのシステム構成を表すブロック図。
【図１５】カラーＭＦＰのシステムの動作を示すフローチャート。
【図１６】カラースキャン可能なモノクロＭＦＰの従来構成を示すブロック図。
【図１７】モノクロＭＦＰのシステムの動作を示すフローチャート。
【図１８】スキャナとプリンタの動作を示すタイミングチャート。
【図１９】スキャナとプリンタの動作を示すタイミングチャート。
【図２０】画質低下の現象を説明する図。
【符号の説明】
【０２２１】
２…スキャナ部、４…プロセスユニット、１１９…ＡＤＦ、１１７…ＣＣＤ、１１７ａ…受光部、１１…感光体ドラム、１３…露光装置、１４…ブラック現像器、１５…リボルバー、１６…中間転写ベルト、２０１…画像形成装置、２０２…光学ユニット、２０７…転写ベルト、３Ｙ…現像器、３Ｍ…現像器、３Ｃ…現像器、３Ｋ…現像器、４Ｙ…感光体ドラム、４Ｍ…感光体ドラム、４Ｃ…感光体ドラム、４Ｋ…感光体ドラム。
【図１】
2008035561.tif 000003
【図２】
2008035561.tif 000004
【図３】
2008035561.tif 000005
【図４】
2008035561.tif 000006
【図５】
2008035561.tif 000007
【図６】
2008035561.tif 000008
【図７】
2008035561.tif 000009
【図８】
2008035561.tif 000010
【図９】
2008035561.tif 000011
【図１０】
2008035561.tif 000012
【図１１】
2008035561.tif 000013
【図１２】
2008035561.tif 000014
【図１３】
2008035561.tif 000015
【図１４】
2008035561.tif 000016
【図１５】
2008035561.tif 000017
【図１６】
2008035561.tif 000018
【図１７】
2008035561.tif 000019
【図１８】
2008035561.tif 000020
【図１９】
2008035561.tif 000021
【図２０】
2008035561.tif 000022